(57)【要約】【課題】媒体を搬送する際に媒体の両側端部の捲れ上がりを防止することができる媒体搬送装置及びこの媒体搬送装置を備えた記録装置を提供すること。【解決手段】媒体搬送面１２２は、搬送上流端から搬送下流端まで連通して延び、搬送方向に平行に複数並んだ第１のディンプル１２３と、隣接する前記第１のディンプルを繋ぐ、搬送方向と直交する方向に延びる第２のディンプル１２５とが形成されている。これにより、媒体が第１のディンプル内に一旦引き込まれた後、媒体下面と媒体搬送面の間には第２のディンプルを介して相互に隣接する第１のディンプルに向かう空気流が生じる。このため、媒体の先端部が第１のディンプル内に一旦引き込まれた後に捲れ上がっても、空気流が引き起こす動圧損失により媒体の先端部を第１のディンプル内に再び引き寄せることができる。【選択図】      図２
2004338250.tif 000002
【特許請求の範囲】
【請求項１】
媒体搬送面上に供給される媒体を吸着しつつ搬送する媒体搬送装置であって、
前記媒体搬送面は、搬送上流端から搬送下流端まで連通して延び、搬送方向に平行に複数並んだ第１のディンプルと、隣接する前記第１のディンプルを繋ぐ、搬送方向と直交する方向に延びる第２のディンプルとが形成されていることを特徴とする媒体搬送装置。
【請求項２】
前記第２のディンプルは、少なくとも前記媒体の両側端に対応する前記第１のディンプルとそれに隣接する前記第１のディンプルとを繋ぐ部分に配設されていることを特徴とする請求項１に記載の媒体搬送装置。
【請求項３】
前記第２のディンプルは、搬送方向と交差する方向に平行に複数並設されていることを特徴とする請求項１に記載の媒体搬送装置。
【請求項４】
前記媒体搬送面に設けられた複数の吸引穴、前記複数の吸引穴と連通した減圧室及び前記減圧室内の空気を吸引する吸引手段を有し、前記吸引穴が、前記減圧室と連通する吸引孔と、前記媒体と対向する吸引面の面積が前記吸引孔の断面積よりも大きい吸引室とを含む吸引ユニットを備え、前記吸引室が前記第１及び第２のディンプルとして機能することを特徴とする請求項１〜３の何れか一項に記載の媒体搬送装置。
【請求項５】
前記第２のディンプルにおける搬送下流側ないし上流側の壁面が、前記媒体の先端縁及び搬送面に対して傾斜して形成されていることを特徴とする請求項１〜４の何れか一項に記載の媒体搬送装置。
【請求項６】
請求項１〜５の何れか一項に記載の媒体搬送装置を備えたことを特徴とする記録装置。
【請求項７】
被噴射媒体搬送面上に供給される被噴射媒体を吸着しつつ搬送する液体噴射装置であって、
請求項１〜５の何れか一項に記載の媒体搬送装置を備えたことを特徴とする液体噴射装置。
【発明の詳細な説明】
【０００１】
【発明の属する技術分野】
本発明は、例えば記録媒体を搬送する媒体搬送装置及びこの媒体搬送装置を備えた記録装置に関する。
【０００２】
【従来の技術】
従来より、記録装置の１つである例えばインクジェット式プリンタにおいては、記録媒体の１つである例えば用紙を用紙搬送装置により記録部に送り込みつつ記録して外部に送り出す構成のものがある。かかるインクジェット式プリンタにおいては、用紙を紙送りローラ及びその従動ローラで挟持して送りつつ記録ヘッドで記録し、排紙ローラ及びその従動ローラとしての拍車ローラで挟持して送って排出するようになっている。
【０００３】
このような用紙搬送装置を備えるインクジェット式プリンタでは、用紙に例えばベタ画像等のように多数のインク滴が吐出される画像が記録される場合には、用紙が多量のインクを吸収して、記録後に記録ヘッド側に波状に膨らむ、いわゆるコックリングが発生する場合がある。そして、このコックリングが発生して発達すると、用紙と記録ヘッドとの間隔が不均一になり、インク滴の飛翔距離がばらつくことにより記録むらが生じ、あるいは、用紙が記録へッドに接触して汚れてしまう不具合がある。
【０００４】
そこで、近年、用紙搬送面に用紙搬送方向及びそれと直交する方向に一定ピッチで一定面積の複数の穴、すなわち格子状に複数の穴を穿孔し、これらの穴を介して吸引ポンプ等で用紙を吸引して上述したコックリングを抑制するインクジェット式プリンタが提案されている（特許文献１、２参照）。さらに、用紙搬送面に上記穴に連通する複数の凹部を形成し、上述したコックリングによる用紙の撓みを吸引することにより凹部内に導いて吸収させるようにしたインクジェット式プリンタが提案されている（特許文献３参照）。
【０００５】
【特許文献１】
特開昭６３−３０３７８１号公報
【特許文献２】
特開平３−２７０号公報
【特許文献３】
特開平８−１５６３５１号公報
【０００６】
【発明が解決しようとする課題】
一般的に、用紙には、湿度や温度等の環境の影響、表面コート材の性状等により、そり（カール）が発生する。特に、上方にカールした用紙の用紙搬送方向と直交する方向の両端部、すなわち用紙の両側端部を吸引して引き寄せることは最も困難である。このため、捲れ上がった用紙の両側端部は、記録へッドに接触して汚れてしまうおそれがある。
【０００７】
本発明は、上記のような種々の課題に鑑みなされたものであり、その目的は、媒体を搬送する際に媒体の両側端部の捲れ上がりを防止することができる媒体搬送装置及びこの媒体搬送装置を備えた記録装置を提供することにある。
【０００８】
【課題を解決するための手段】
上記目的達成のため、本発明に係る媒体搬送装置では、媒体搬送面上に供給される媒体を吸着しつつ搬送する媒体搬送装置であって、前記媒体搬送面は、搬送上流端から搬送下流端まで連通して延び、搬送方向に平行に複数並んだ第１のディンプルと、隣接する前記第１のディンプルを繋ぐ、搬送方向と直交する方向に延びる第２のディンプルとが形成されていることを特徴としている。これにより、媒体が第１のディンプル内に一旦引き込まれた後、媒体下面と媒体搬送面の間には第２のディンプルを介して相互に隣接する第１のディンプルに向かう空気流が生じる。このため、媒体の先端部が第１のディンプル内に一旦引き込まれた後に捲れ上がっても、空気流が引き起こす動圧損失により媒体の先端部を第１のディンプル内に再び引き寄せることができる。
【０００９】
前記第２のディンプルは、少なくとも前記媒体の両側端に対応する前記第１のディンプルとそれに隣接する前記第１のディンプルとを繋ぐ部分に配設されていることを特徴としている。これにより、最も捲れ上がり易い媒体の両側端部を対応する第１のディンプル内に再び確実に引き寄せることができる。
【００１０】
前記第２のディンプルは、搬送方向と交差する方向に平行に複数並設されていることを特徴としている。これにより、媒体下面と媒体搬送面の間において第２のディンプルを介して相互に隣接する第１のディンプルに向かう空気流を生じさせることがきるので、媒体搬送面において媒体を略水平に保ったまま搬送することができる。
【００１１】
前記媒体搬送面に設けられた複数の吸引穴、前記複数の吸引穴と連通した減圧室及び前記減圧室内の空気を吸引する吸引手段を有し、前記吸引穴が、前記減圧室と連通する吸引孔と、前記媒体と対向する吸引面の面積が前記吸引孔の断面積よりも大きい吸引室とを含む吸引ユニットを備え、前記吸引室が前記第１及び第２のディンプルとして機能することを特徴としている。これにより、吸引室上に差し掛かった媒体の下方の空気の流速が速くなって負圧が高くなるので、媒体にコックリングが発生しても、媒体を吸引室内に完全に吸着することができるとともに、吸引室により適度な吸引力が発生するので、媒体の送り精度を高精度に維持しつつ吸着搬送することができる。
【００１２】
前記第２のディンプルにおける搬送下流側ないし上流側の壁面が、前記媒体の先端縁及び搬送面に対して傾斜して形成されていることを特徴としている。これにより、媒体の先端部が第２のディンプルにおける搬送下流側ないし上流側の壁面に衝突して捲れ上がってしまうことを防止することができる。
【００１３】
上記目的達成のため、本発明の記録装置では、上記各媒体搬送装置を備えたことを特徴としている。これにより、上述した各作用効果を奏する記録装置を提供することができる。上記目的達成のため、本発明の液体噴射装置では、上記各媒体搬送装置を備えたことを特徴としている。これにより、上述した各作用効果を奏する液体噴射装置を提供することができる。
【００１４】
【発明の実施の形態】
図１は、本発明の実施形態に係る記録媒体搬送装置を示す側面図である。この記録媒体搬送装置１００は、記録時に記録媒体を吸引保持する吸引ユニット１１０と、吸引ユニット１１０の上流側から下流側へ記録媒体を搬送する記録媒体搬送手段１５０とを備えている。上記吸引ユニット１１０は、記録媒体に記録するための記録へッド２３１に対して、記録媒体搬送路Ｌを挟んで下側に配置されている。そして、上段の吸引部１２０と下段の吸引力発生部１３０から成る上下２段構成の中空箱状に形成されている。
【００１５】
吸引部１２０は、内部に形成された減圧室１２１と、記録媒体搬送面１２２に記録媒体の搬送方向に長い長方形状の凹みとして形成された複数の第１の吸引室１２３と、これら第１の吸引室１２３をそれぞれ減圧室１２１と連通させるべく、上下方向に伸長する上記第１の吸引室１２３より小さい円形の断面積を有する複数の吸引孔１２４を有している。
【００１６】
さらに、本発明の特徴的な部分として、吸引部１２０は、記録媒体搬送面１２２に記録媒体の搬送方向と直交する方向に延びる凹みとして形成された複数の第２の吸引室１２５（図２参照）と、これら第２の吸引室１２５をそれぞれ減圧室１２１と連通させるべく、上下方向に伸長する上記第２の吸引室１２５より小さい円形の断面積を有する複数の吸引孔１２６（図２参照）を有している。
【００１７】
吸引力発生部１３０は、吸引部１２０の減圧室１２１と連通孔１３１を介して連通されており、内部に遠心ファンを備えたポンプ１３２を有している。ポンプ１３２は、減圧室１２１の下方の所定位置に連通孔１３１を介して減圧室１２１と連通した状態で取り付けられており、遠心ファンが記録時に回転するようになっている。
【００１８】
記録媒体搬送手段１５０は、記録媒体を記録へッド２３１と吸引ユニット１１０の間に送り込む送りローラ１５１と、この送りローラ１５１に対して上方から圧接される従動ローラ１５２と、記録媒体を外部へ排出する排出ローラ１５３と、この排出ローラ１５３に対して上方から接触される拍車ローラ１５４を備えている。尚、吸引ユニット１１０を排出方向へ移動可能な構成とすること等により、排出ローラ１５３と拍車ローラ１５４を設けないことも可能である。
【００１９】
図２（Ａ）、（Ｂ）、（Ｃ）は、上記吸引部１２０を示す平面図、Ａ−Ａ線断面側面図及びＢ−Ｂ線断面側面図である。第１の吸引室１２３は、短辺が所定長さであって長辺が記録媒体搬送面１２２の上流端近傍から下流端近傍に至る長さとなるように形成されている。すなわち、各第１の吸引室１２３は、記録媒体の搬送方向には連通して延び、記録媒体の搬送方向と直交する方向には仕切壁１２７を挟んで平行に並設されている。吸引孔１２４は、第１の吸引室１２３の底面において記録媒体の搬送方向に所定ピッチで形成されている。すなわち、吸引孔１２４は、第１の吸引室１２３毎に１列形成されている。なお、吸引孔１２４の形成は、１列に限定されるものではなく、第１の吸引室１２３の底面に形成可能な列数であれば複数でも良い。
【００２０】
第２の吸引室１２５は、隣接する第１の吸引室１２３を複数箇所で繋ぐように形成されている。すなわち、各第２の吸引室１２５は、記録媒体の搬送方向と直交する方向には所定幅で延び、記録媒体の搬送方向には仕切壁１２７を挟んで平行に並設されている。吸引孔１２６は、仕切壁１２７の間の第２の吸引室１２５の底面に１つ形成されている。なお、吸引孔１２６の形成個数は、１つに限定されるものではなく、第２の吸引室１２５の底面に形成可能な個数であれば複数でも良い。
【００２１】
ここで、吸引により記録媒体が記録媒体搬送面１２２に張り付いた状態では、記録媒体の下方に空気の流れは生じない。そして、この状態を保つための力（密着した状態での吸引力）は、減圧室１２１内の負圧（静圧）の大きさが支配的である。一方、記録媒体が記録媒体搬送面１２２から離れた状態では、記録媒体の下方に空気の流れが生じる。そして、記録媒体の下面と記録媒体搬送面１２２との間を通る空気流が引き起こす動圧損失により、記録媒体は記録媒体搬送面１２２に引き寄せられる。本発明では、この後者の作用を利用して上方にカールした記録媒体の先端部を吸引して記録媒体搬送面１２２に引き寄せる。
【００２２】
上述した構成の第１の吸引室１２３と第２の吸引室１２５及び吸引孔１２４と吸引孔１２６は、格子状に並設されることになるので、搬送される記録媒体が第１の吸引室１２３内に一旦引き込まれた後、記録媒体下面と記録媒体搬送面１２２の間には第２の吸引室１２５を介して相互に隣接する第１の吸引室１２３に向かう空気流が生じる。したがって、記録媒体の先端部が第１の吸引室１２３内に一旦引き込まれた後に捲れ上がっても、空気流が引き起こす動圧損失により記録媒体の先端部を第１の吸引室１２３内に再び引き寄せることができ、記録媒体搬送面１２２において記録媒体を略水平に保ったまま搬送することができる。
【００２３】
図３（Ａ）、（Ｂ）は、上記吸引部１２０の一部を示す拡大平面図及びＡ−Ａ線断面側面図である。第２の吸引室１２５における搬送下流側の壁面、すなわち仕切壁１２７の搬送上流側の壁面１２７ａは、記録媒体の先端縁に対して角度θだけ傾斜し、かつ記録媒体の搬送面に対して角度αだけ傾斜して形成されている。このように、壁面１２７ａを傾斜面に形成することにより、壁面１２７ａが直立の場合に衝突して捲れ上がってしまうような事態を防止することができ、搬送中の記録媒体の先端部を壁面１２７ａに沿ってスムーズに移動させることができる。記録媒体の先端縁に対する角度θは、例えば３度〜５度が好ましい。また、記録媒体の搬送面に対する角度αは、例えば３０度〜４５度が好ましい。
【００２４】
なお、上記実施形態では、第２の吸引室１２５にも吸引孔１２６を形成したが、これは記録媒体の下方の空気の流れる量が大きいほど、上方にカールした記録媒体の先端部を吸引して記録媒体搬送面１２２に引き寄せる効果が大きくなるためである。ところが、吸引孔１２４、１２６の総面積とポンプ１３２の流量特性により、減圧室１２１内の負圧は定まるため、第２の吸引室１２５にも吸引孔１２６を形成した場合は、第１の吸引室１２３にのみ吸引孔１２４を形成した場合と比べ、減圧室１２１内の負圧が小さくなって吸引力が減少する。
【００２５】
図４は、減圧室１２１内の負圧ΔＰと吸引孔１２４、１２６の総面積ΣＳ及びポンプ１３２の流量Ｑとの関係並びに減圧室１２１内の負圧ΔＰとポンプ１３２の流量Ｑの特性を示す図である。減圧室１２１内の負圧ΔＰは、吸引孔１２４、１２６の総面積ΣＳ及びポンプ１３２の流量Ｑにより次式（１）で表される。
ΔＰ＝ρ（Ｑ／ΣＳ）２／２・・・（１）
したがって、（１）式のグラフと特性のグラフとの交点が、そのときの総面積ΣＳの吸引孔１２４、１２６で定まる減圧室１２１内の負圧ΔＰとなる。例えば、総面積ΣＳ１の吸引孔１２４、１２６を形成したときに定まる減圧室１２１内の負圧はΔＰ１となり、総面積ΣＳ１より大きい総面積ΣＳ２の吸引孔１２４、１２６を形成したときに定まる減圧室１２１内の負圧はΔＰ１より小さいΔＰ２となり、総面積ΣＳ２より大きい総面積ΣＳ３の吸引孔１２４、１２６を形成したときに定まる減圧室１２１内の負圧はΔＰ２より小さいΔＰ３となる。
【００２６】
すなわち、第２の吸引室１２５にも吸引孔１２６を形成した場合は、第１の吸引室１２３にのみ吸引孔１２４を形成した場合と比べ、吸引孔１２４、１２６の総面積ΣＳが増加しているので、減圧室１２１内の負圧ΔＰ、つまり吸引力は減少する。そこで、第２の吸引室１２５には吸引孔１２６を形成せず、第１の吸引室１２３にのみ吸引孔１２４を形成した構成とすることにより、吸引孔１２４の総面積を小さくできるため、減圧室１２１内の負圧を大きくすることができる。これにより、特に剛性の高い記録媒体の先端部を動的に吸引して容易に引き寄せることが可能となる。
【００２７】
また、上記実施形態では、第１の吸引室１２３と第２の吸引室１２５を格子状に並設したが、第２の吸引室１２５を記録媒体の搬送方向と直交する方向の記録媒体の両端部、すなわち記録媒体の両側端部に対応する第１の吸引室１２３とそれに隣接する第１の吸引室１２３とを繋ぐ部分、少なくとも最上流側の１箇所に配設するように構成しても良い。これにより、最も捲れ上がり易い記録媒体の両側端部を対応する第１の吸引室１２３内に再び確実に引き寄せることができる。また、第２の吸引室１２５を最上流側の記録媒体の搬送方向と直交する方向に１列配設するように構成しても良い。これにより、少なくとも記録媒体の先端部を第１の吸引室１２３内に再び確実に引き寄せることができる。これらの場合も、第２の吸引室１２５には吸引孔１２６を形成しても、形成しなくても良い。
【００２８】
このような構成の記録媒体搬送装置１００は、以下のように動作する。送りローラ１５１等が回転駆動して、記録媒体を記録ヘッド２３１と吸引ユニット１１０との間に送り込む。一方、ポンプ１３２が駆動して、吸引力を連通孔１３１及び減圧室１２１を介して吸引孔１２４、１２６と第１の吸引室１２３、第２の吸引室１２５に作用させる。これにより、記録媒体は、記録媒体搬送面１２２に吸引吸着された状態で搬送される。同時に、記録へッド２３１が、記録媒体の上方を主走査方向に移動しながら記録媒体に対してインク粒を吐出して記録を行う。
【００２９】
このとき、第１の吸引室１２３内に一旦引き込まれた記録媒体の先端部や両側端部が捲れ上がっても、空気流が引き起こす動圧損失により記録媒体の先端部や両側端部は第１の吸引室１２３内に再び引き寄せられるので、記録媒体は記録媒体搬送面１２２において略水平に維持されて搬送されることになる。したがって、記録媒体の先端部や両側端部が捲れ上がって記録へッド２３１に接触することによる汚染を防止することができる。そして、排出ローラ１５３等が回転駆動して、記録が終了した記録媒体を外部へ排出する。
【００３０】
図５は、上記記録媒体搬送装置１００を備えた記録装置としてのインクジェット式プリンタを示す斜視図、図６〜図８は、その主要部を示す平面図、正面図及び側面図である。このインクジェット式プリンタ２００は、プリンタ本体２１０の後方上部に斜めに取り付けられた自動給紙（ＡＳＦ）ユニット２２０と、プリンタ本体２１０に内蔵された記録部２３０及び記録媒体搬送装置１００を備えている。記録媒体としては、インクジェット式プリンタ２００の専用紙、普通紙の他、ＯＨＰフィルム、トレーシングペーパ一、ハガキ等各種のものを用いることができる。
【００３１】
ＡＳＦユニット２２０は、用紙１を収容するトレイ２２１と、このトレイ２２１から用紙１を引き出して供給する給紙ローラ２２２等を備えている。記録部２３０は、記録ヘッド２３１及びインクカートリッジ２３２が搭載されたキャリッジ２３３と、このキャリッジ２３３を主走査方向に配設されたガイド軸２３４に沿って移動させるＤＣモータ２３５等を備えている。記録ヘッド２３１は、例えばシアン、マゼンタ、イエロー、ライトシアン、ライトマゼンタ、ライトイエロー、ブラックの各色毎に、例えば９６個等複数のノズルから成るノズル列を有している。
【００３２】
記録媒体搬送装置１００は、記録時に記録媒体を吸引保持する上段の吸引部１２０と下段の吸引力発生部１３０から成る吸引ユニット１１０と、吸引ユニット１１０の上流側から下流側へ記録媒体を搬送する記録媒体搬送手段１５０とを備えている。吸引部１２０は、内部に形成された減圧室１２１と、記録媒体搬送面１２２に記録媒体の搬送方向に長い長方形状の凹みとして形成された複数の第１の吸引室１２３と、これら第１の吸引室１２３をそれぞれ減圧室１２１と連通させる複数の吸引孔１２４とを有している。さらに、吸引部１２０は、記録媒体搬送面１２２に記録媒体の搬送方向と直交する方向に延びる凹みとして形成された複数の第２の吸引室１２５（図６参照）と、これら第２の吸引室１２５をそれぞれ減圧室１２１と連通させる複数の吸引孔１２６（図６参照）を有している。
【００３３】
吸引力発生部１３０は、吸引部１２０の減圧室１２１と連通孔１３１を介して連通されており、内部に遠心ファンを備えたポンプ１３２を有している。ポンプ１３２は、減圧室１２１の下方の所定位置に連通孔１３１を介して減圧室１２１と連通した状態で取り付けられており、遠心ファンが記録時に回転するようになっている。
【００３４】
記録媒体搬送手段１５０は、記録媒体を記録へッド２３１と吸引ユニット１１０の間に送り込む送りローラ１５１と、この送りローラ１５１に対して上方から圧接される従動ローラ１５２とを有している。なお、この実施形態では、記録媒体を外部へ排出する排出ローラ１５３と、この排出ローラ１５３に対して上方から接触される拍車ローラ１５４とが不要な、排出方向へ移動可能な吸引ユニット１１０を有するインクジェット式プリンタ２００としているが、排出ローラ１５３と拍車ローラ１５４を有するインクジェット式プリンタとしても良い。
【００３５】
このような構成のインクジェット式プリンタ２００は、以下のように動作する。図示しないホストコンピュータ等によりトレイ２２１に収容されている用紙１に対する記録命令が入力されると、給紙ローラ２２２が回転駆動して、トレイ２２１に収容されている用紙１を１枚ずつピックアップして給紙する。さらに、送りローラ１５２等が回転駆動して、用紙１を記録ヘッド２３１と吸引ユニット１１０との間に送り込む。
【００３６】
一方、ポンプ１３２が駆動して、吸引力を連通孔１３１及び減圧室１２１を介して吸引孔１２４、１２６と第１の吸引室１２３、第２の吸引室１２５に作用させる。そして、用紙１を記録媒体搬送面１２２に吸引吸着した状態で搬送する。これと同時に、ＤＣモータ２３５が駆動して、タイミングベルトを介してキャリッジ２３３をガイド軸２３４に沿って移動させる。このとき、記録へッド２３１は、インクカートリッジ２３２から各色毎に供給されるインクを記録データに応じて複数のノズルの全部又は一部から微小なインク滴として用紙１上に吐出して記録する。
【００３７】
このとき、第１の吸引室１２３内に一旦引き込まれた記録媒体の先端部や両側端部が捲れ上がっても、空気流が引き起こす動圧損失により記録媒体の先端部や両側端部は第１の吸引室１２３内に再び引き寄せられる。したがって、記録媒体は記録媒体搬送面１２２において略水平に維持されて搬送されることになるので、記録媒体の先端部や両側端部が捲れ上がって記録へッド２３１に接触することによる汚染を防止することができる。そして、排出ローラ１５３等が回転駆動して、記録が終了した用紙１を排紙口２０１から外部へ排紙する。
【００３８】
以上のように、吸引穴を吸引孔１２４、１２６と第１の吸引室１２３、第２の吸引室１２５で構成し、さらに吸引孔１２４、１２６を小径の貫通孔により形成することで、ポンプ１３２の特性に対して利用できる負圧の利用率を高めると共に、第１の吸引室１２３、第２の吸引室１２５を吸引孔１２４、１２６より面積の大きい略矩形の凹みとして形成することで、記録媒体に対して大きな吸引力を発生できるようになっている。さらに、記録媒体の先端部や両側端部が第１の吸引室１２３内に一旦引き込まれた後に捲れ上がっても、空気流が引き起こす動圧損失により記録媒体の先端部や両側端部は第１の吸引室１２３内に再び引き寄せられるので、記録媒体は記録媒体搬送面１２２において略水平に維持されて搬送されることになる。したがって、記録ヘッド２３１を記録媒体により近接させることができ、記録精度をさらに向上させることができる。
【００３９】
以上、本発明を種々の実施形態に関して述べたが、本発明は以上の実施形態に限られるものではなく、特許請求の範囲に記載された発明の範囲内で、他の実施形態についても適用されるのは勿論である。例えば、上述した実施形態では、記録装置としてインクジェット式プリンタを例に説明したが、これに限定されるものではなく、吸着搬送可能な記録装置であれば、例えばファクシミリ装置、コピー装置等であっても適用可能である。
【００４０】
さらに、記録装置に限らず、インクに代えてその用途に対応する液体を液体噴射ヘッドから被噴射媒体に噴射して液体を被噴射媒体に付着させる液体噴射装置の意味として、例えば、液晶ディスプレイ等のカラーフィルタ製造に用いる色材噴射ヘッド、有機ＥＬディスプレイや面発光ディスプレイ（ＦＥＤ）等の電極形成に用いられる電極材（導電ペースト）噴射ヘッド、バイオチップ製造に用いられる生体有機物噴射ヘッド、精密ピペットとしての試料噴射ヘッド等を備えた装置にも適用可能である。
【図面の簡単な説明】
【図１】本発明の実施形態に係る記録媒体搬送装置を示す側面図である。
【図２】図１の吸引部を示す平面図、Ａ−Ａ線断面側面図及びＢ−Ｂ線断面側面図である。
【図３】吸引部の一部を示す拡大平面図及びＡ−Ａ線断面側面図である。
【図４】減圧室内の負圧と吸引孔の総面積及びポンプの流量との関係並びに減圧室内の負圧とポンプ流量の特性を示す図である。
【図５】本発明の記録媒体搬送装置を備えた記録装置としてのインクジェット式プリンタを示す斜視図である。
【図６】図５のインクジェット式プリンタの主要部を示す平面図である。
【図７】図５のインクジェット式プリンタの主要部を示す正面図である。
【図８】図５のインクジェット式プリンタの主要部を示す側面図である。
【符号の説明】
１  用紙、１００  記録媒体搬送装置、１１０  吸引ユニット、１２０  吸引部、１２１  減圧室、１２２  記録媒体搬送面、１２３  第１の吸引室、１２４、１２６  吸引孔、１２５  第２の吸引室、１２７  仕切壁、１２７ａ  壁面、１３０  吸引力発生部、１３１  連通孔、１３２  ポンプ、１５０  記録媒体搬送手段、１５１  送りローラ、１５２  従動ローラ、１５３  排出ローラ、１５４  拍車ローラ、２００  インクジェット式プリンタ、２１０  プリンタ本体、２２０  ＡＳＦユニット、２２１  トレイ、２２２  給紙ローラ、２３０  記録部、２３１  記録ヘッド、２３２  インクカートリッジ、２３３  キャリッジ、２３４  ガイド軸、２３５  ＤＣモータ
【図１】
2004338250.tif 000003
【図２】
2004338250.tif 000004
【図３】
2004338250.tif 000005
【図４】
2004338250.tif 000006
【図５】
2004338250.tif 000007
【図６】
2004338250.tif 000008
【図７】
2004338250.tif 000009
【図８】
2004338250.tif 000010